(57)【要約】  系統電圧が低下する異常時においても、通常の発電運転中とは回路の切替えを必要としない風力発電システムを提供することを目的とする。  上記の課題を解決するために、本発明に係る風力発電システムは、風を受けて回転するブレードと、該ブレードに接続されるロータと、該ロータに接続され、該ロータの回転に伴って永久磁石を搭載した回転子を回転させて発電電力を発生させる永久磁石式回転発電機と、を備える風車と、該風車を制御する補機及び風車制御装置と、前記永久磁石により発生させられた発電電力を調整して前記風車制御装置及び前記補機に供給する電力変換器と、前記永久磁石式回転発電機に接続されて交流電力を直流電力に変換する直流変換器と、該直流変換器に接続されて変換された前記直流電力により、前記電力変換器を制御する制御装置とを備えることを特徴とする。
2013108288.tif 000002
【特許請求の範囲】
【請求項１】
風を受けて回転するブレードと、該ブレードに接続されるロータと、該ロータに接続され、該ロータの回転に伴って永久磁石を搭載した回転子を回転させて発電電力を発生させる永久磁石式回転発電機と、を備える風車と、
該風車を制御する補機及び風車制御装置と、
前記永久磁石により発生させられた発電電力を調整して前記風車制御装置及び前記補機に供給する電力変換器と、
前記永久磁石式回転発電機に接続されて交流電力を直流電力に変換する直流変換器と、
該直流変換器に接続されて変換された前記直流電力により、前記電力変換器を制御する制御装置とを備えることを特徴とする風力発電システム。
【請求項２】
請求項１に記載の風力発電システムであって、
前記永久磁石式回転発電機と前記電力変換器の間に前記直流変換器は配置されており、
前記電力変換器には直流電力が印加されることを特徴とする風力発電システム。
【請求項３】
請求項１または２に記載の風力発電システムであって、
前記直流変換器はダイオードであることを特徴とする風力発電システム。
【請求項４】
請求項１または２に記載の風力発電システムであって、
前記直流変換器はコンバータであることを特徴とする風力発電システム。
【請求項５】
請求項４に記載の風力発電システムであって、
前記電力変換器はインバータであることを特徴とする風力発電システム。
【請求項６】
請求項１ないし５のいずれか一つに記載の風力発電システムであって、
更に、インバータと、
該インバータに接続されると共に、コイル及びコンデンサを有するＬＣフィルタと、
該ＬＣフィルタに接続される遮断器と、
該遮断器に接続される変圧器とを備え、
該変圧器の高電圧側は電力系統と接続されていることを特徴とする風力発電システム。
【請求項７】
請求項６に記載の風力発電システムであって、
更に励磁式発電機と、
該励磁式発電機による交流の発電電力を直流に変換するコンバータとを備え、
該コンバータは、請求項６に記載のインバータに接続されることを特徴とする風力発電システム。
【請求項８】
請求項１ないし７のいずれか一つに記載の風力発電システムであって、
前記風車は、前記ロータが風下を向いた状態で発電するダウンウインド型風車であることを特徴とする風力発電システム。
【発明の詳細な説明】
【技術分野】
【０００１】
本発明は風力発電システムに関するものである。
【背景技術】
【０００２】
風力発電システムは、太陽電池等と共に再生可能エネルギーとして、急速に普及が拡大している。従来の風力発電システムとして、例えば特許文献１に記載されたものがある。該特許文献１には、風力発電システムについて無停電電源を用いる技術が記載されている。【０００３】
また特許文献２には、電力系統の系統電圧が低下する異常の発生に応答して、風車ロータの回転から発生された電力をピッチ制御機構に供給する非常用電力供給機構とを具備する風力発電システムが記載されており、該非常用電力供給機構は電力系統の系統電圧が低下する異常の発生に応答してピッチ角制御機構に電力を供給するものが記載されている。
【先行技術文献】
【特許文献】
【０００４】
【特許文献１】米国特許６９２１９８５号
【特許文献２】特開２００７−２３９５９９号公報
【発明の概要】
【発明が解決しようとする課題】
【０００５】
上記各特許文献によれば、電力系統の系統電圧が低下する異常時においては、一時的に制御用電源を賄える様にしているが、あくまでも非常時においての一時的な制御によるものであり、通常の発電運転中とは回路を切替える必要がある。よって、回路の切替のために機構が複雑化することは回避しがたい。また、当該回路の切替は非常時におけるものであり、万が一適切に動作しなかった場合、機器への損傷等を防ぐ手立てを失う恐れがある。【０００６】
そこで、本発明では電力系統の系統電圧が低下する異常時においても、通常の発電運転中とは回路の切替えを必要としない風力発電システムを提供することを目的とする。
【課題を解決するための手段】
【０００７】
上記の課題を解決するために、本発明に係る風力発電システムは、風を受けるブレードと、該ブレードに接続されるロータと、該ロータに接続され、該ロータの回転に伴って永久磁石を搭載した回転子を回転させて発電電力を発生させる永久磁石式回転発電機と、該直流変換器に接続されて変換された前記直流電力を商用周波数の交流電力に変換する電力変換装置を備える風車と、該風車を制御する補機と風車制御装置と、前記永久磁石により発生させられた発電電力を調整して前記補機および風車制御装置に供給する電力変換器と、前記永久磁石式回転発電機に接続されて交流電力を直流電力に変換する直流変換器と、該直流変換器に接続されて変換された前記直流電力により、前記電力変換器を制御する制御装置とを備えることを特徴とする。
【発明の効果】
【０００８】
本発明によれば、電力系統の系統電圧が低下する異常時においても、通常の発電運転中とは回路の切替えを必要としない風力発電システムを提供することが可能となる。
【図面の簡単な説明】
【０００９】
【図１】実施例１に係る風力発電システムの単線結線図である。
【図２】電力変換器を説明するための図である。
【図３】実施例２に係る風力発電システムの単線結線図である。
【図４】実施例３に係る風力発電システムの単線結線図である。
【発明を実施するための形態】
【００１０】
以下、上記した本発明を実施するうえで好適な実施の形態について図面を用いて説明する。下記はあくまでも実施例に過ぎず、発明内容が係る特定の態様に限定して解釈されることを意図する趣旨ではない。
【実施例１】
【００１１】
実施例１に係る風力発電システムについて図１及び図２を用いて説明する。本実施例に係る風力発電システムは、風を受けて回転する円周方向に均等に３枚に配置されたブレード２０２と、ブレード２０２に接続されてブレード２０２の回転軸となるロータ２２０と、ロータ２２０に接続されて回転速度を増加させるギアボックス２２１と、ギアボックス２２１を介して増速された永久磁石式回転発電機（ＰＭＧ）２０１とを有する風車と、永久磁石式回転発電機２０１に接続される補機電源２０５と、補機電源２０５からの電力供給を受けてブレード２０２の（受風面積を制御する）ピッチ角制御や、図示を省略しているが、基礎の上に構築されたタワー上部に配置されるナセルの水平面内の回転角度を制御するヨー制御等を行う補機２０６と、補機２０６に指令を出力する風車制御装置２０３と、永久磁石式回転発電機２０１に接続される電力変換器２０４と、電力変換器２０４に接続されて高調波を抑制するＬＣフィルタ２１４と、ＬＣフィルタ２１４に接続されて交流電流を遮断する遮断器２１２と、遮断器２１２と電力系統１０との間に接続されて、風車によって発電された発電電力を昇圧して電力系統１０に接続するための変圧器３とを有している。尚、これら各機器は全て風車内に配置することも可能であり、また一部を風車外に配置することも可能である。いずれを採用するかは設置環境等によって適宜変更可能である。【００１２】
補機電源２０５は、永久磁石式回転発電機２０１によって発生された交流電力を整流して直流電力に変換するダイオードブリッジ２０７と、ダイオードブリッジ２０７によって直流に変換された電力により賄われる制御電源２０８と、制御電源２０８によって駆動し、補機電源２０５内に配置された電力変換器２１０を制御する制御装置２０９とを備えている。制御装置２０９からの指令２１１により、電力変換器２１０は、補機２０６に適正な電力を供給できる様になっている。【００１３】
図２には電力変換器２０４の構成を示している。電力変換器２０４は、永久磁石式回転発電機２０１によって発生された交流電力を直流電力に変換するコンバータ２０４２と、該コンバータ２０４２より電力系統側に配置されてコンバータ２０４２によって変換された直流電力を商用周波数の交流電力に変換するインバータ２０４１と、インバータ２０４１及びコンバータ２０４２の間に配置される平滑コンデンサ２０４３とを有している。各インバータ及びコンバータは６個のスイッチング素子から構成されている。該電力変換器２０４により、電力系統１０に送電する上で適正な（品質の高い）周波数及び波形に変換される。【００１４】
ＬＣフィルタ２１４は、二つのコイル２１５と、二つのコイル２１５間に配置されるコンデンサ２１６とを有しており、電力変換器２０４から電力系統１０側に出力される高調波を抑制する。【００１５】
風車の発電運転時の補機２０６による制御について説明する。風車は、カットインスピード以上の（または、より大きい）風速で、かつ、暴風時のカットアウト風速以下（または未満）の時に発電運転を行う。尚、カットインスピードやカットアウトスピードは機種によって仕様が異なる。【００１６】
本実施例では、発電機として永久磁石式回転発電機２０１を用いており、励磁電流が無くともロータ２０２が回転することで発電を行う。発電運転中において、永久磁石式回転発電機２０１が発生した交流の発電電力は補機電源２０５内のダイオードブリッジ２０７と、電力変換器２１０に印加される。【００１７】
ダイオードブリッジ２０７に印加された交流電流は、整流されて直流電力に変換される。それにより、制御装置２０９の制御電源２０８が賄われる。制御電源２０８に直流電力を用いるのは、制御装置に含まれる制御基板上のマイコン、メモリ、ＦＰＧＡ等のＩＣ類が直流でないと動作しないためである。電力変換器２１０には永久磁石式回転発電機２０１が発生した交流の発電電力が印加されるが、制御装置２０９から指令２１１を電力変換器２１０に対して出力することにより、適正な電力波形及び周波数に変換して補機２０６及び風車制御装置２０３に供給できる。【００１８】
補機２０６は電力変換器２１０から電力供給を受けて風車制御装置２０３に指令を出し、風速や風向に応じてロータ２０２のピッチ角制御やヨー制御を行う。【００１９】
風車の発電運転時の発電電力は、永久磁石式回転発電機２０１から電力変換器２０４を介して電力系統１０に送電される。この際、電力変換器２０４内のコンバータ２０４２及びインバータ２０４１により、品質を担保された電力へと変換され、更にＬＣフィルタ２１４により、電力変換器２０４から生ずる高調波ノイズもフィルタリングすることで、一層電力品質を向上させることができる。遮断器２１２は事故等が生じた場合に、事故の波及を防止するために設けられている。電力品質を向上させた発電電力は昇圧用の変圧器３により、電力系統１０用に高電圧に変圧される。【００２０】
本実施例によれば、永久磁石式回転発電機２０１の発電電力により、風車を制御する補機電源２０５を賄っているので、電力系統１０の状態によらずに補機２０６による制御、即ち風車全体の制御を行うことが可能となる。即ち、電力系統の系統電圧が低下しても、通常の発電運転中とは回路の切替えを必要としない。
【実施例２】
【００２１】
実施例２について図３を用いて説明する。尚、実施例１と重複する箇所については説明を省略し、実施例１に対する変更箇所についてのみ説明する。【００２２】
実施例１では、永久磁石式回転発電機２０１に直接補機電源２０５を接続したが、本実施例では補機電源２２５は、電力変換器２０４内のコンバータ２０４２とインバータ２０４１の間の直流電流領域に接続させている。【００２３】
従って、コンバータ２０４２に含まれるスイッチング素子には、逆並列に接続するダイオードが設置されるため、当該コンバータ２０４２がスイッチング動作をしなくても当該ダイオードが発電電力を交流電力から直流電力に変換する役割を果たしているので、実施例１で必要とした発電電力を交流電流から直流電流に変換するためのダイオードブリッジ２０７は不要となる。これにより簡素化された構造となる。【００２４】
また、実施例１では補機電源２０５には交流電力が印加されていたが、本実施例では直流電力が印加される。よって、補機電源２２５内に配置される電力変換器２２６は、直流を交流に変換するだけで良く、実施例１と比較して半分の役割で足り、構成が簡素化される。【００２５】
本実施例によっても、永久磁石式回転発電機２０１の発電電力により、風車を制御する補機電源２２５を賄っているので、電力系統１０の状態によらずに補機２０６による制御、即ち風車全体の制御を行うことが可能となる。
【実施例３】
【００２６】
実施例３について図４を用いて説明する。尚、実施例１または実施例２と重複する箇所については説明を省略し、両実施例に対する変更箇所についてのみ説明する。【００２７】
本実施例では永久磁石式回転発電機２０１の代わりに二次励磁式発電機２３０を設け、ロータ２３３に、補助発電機として永久磁石式回転発電機２３２を設ける様にしている。電力変換装置３０４は、電力系統１０に接続し、交流電力を直流電力に変換する変換器３０４１と直流電力を二次励磁式発電機２３０の出力周波数および力率を適切に制御するための交流電力を出力する変換器３０４２を介して、二次励磁式発電機２３０のロータにスリップリングを介して接続する。二次励磁式発電機２３０のステータは、発電電力を遮断器を介して電力系統１０へ出力する。【００２８】
永久磁石式回転発電機２３２に接続するのは実施例１における補機電源２０５と同様の制御電源を用いる。本変更点については、実施例１の様に永久磁石式回転発電機２０１を主発電機として用いた場合でも同様の変更が可能であることは言うまでもない。【００２９】
本実施例によっても、永久磁石式回転発電機２３２の発電電力により、風車を制御する補機電源２０５を賄っているので、電力系統１０の状態によらずに補機２０６による制御、即ち風車全体の制御を行うことが可能となる。【００３０】
上記各実施例では、永久磁石式回転発電機からの発電電力により、補機電源を賄う様にしている。永久磁石式回転発電機であれば、励磁電力を必要とせず（特に起動時において励磁電力を必要としない点は、電力系統からの独立運転を行う上で有効となる）、回転を開始することで発電運転が可能となるため、電力系統の状態に依拠せずに補機を駆動でき、風車を制御できる点で有益である。【００３１】
また、本発明を実施する上で、風車に風下にロータが向いた状態で発電運転するダウンウインド型風車を適用すると一層有益である。ダウンウインド型風車であれば、ヨー制御を行わずとも（いわゆるフリーヨー制御）、風見鶏の様に、ロータが自然と風下を向くことになり、発電運転に適した位置へと移行可能である。よって、制御電源がなくともロータが回転可能な状態へと移行できる。更に、ロータが回転しさえすれば、永久磁石式回転発電機は上述した様に、発電運転を開始できるので、両者を併せて使用することで、風車の再始動に励磁電力が必要とされず、電力系統からの電力供給や励磁電力が無い状態からの再始動が可能である。【００３２】
この点は、電力網が未整備の地域に設置する場合や、災害等により電力網が遮断されてしまった場合等を想定すると特に有益である。
【符号の説明】
【００３３】
２０１、２３２  永久磁石式回転発電機
２０２  ブレード
２０３  風車制御装置
２０４、２１０、２２６、２３６  電力変換器
２０５、２２５、２３５  補機電源
２０６  補機
２０７、２３４  ダイオードブリッジ
２０８  制御電源
２０９  制御装置
２１１  指令
２１２  遮断器
２１４  ＬＣフィルタ
２１５  コイル
２１６、２０４３  平滑コンデンサ
２２０、２３３  ロータ
２２１、２３１  ギアボックス
２３０  二次励磁式発電機
２３７  励磁電源用ケーブル
２０４１  インバータ
２０４２  コンバータ
【図１】
2013108288.tif 000003
【図２】
2013108288.tif 000004
【図３】
2013108288.tif 000005
【図４】
2013108288.tif 000006
【手続補正書】
【提出日】平成26年10月1日(2014.10.1)
【手続補正１】
【補正対象書類名】特許請求の範囲
【補正対象項目名】請求項１
【補正方法】変更
【補正の内容】
【請求項１】
風を受けて回転するブレードと、該ブレードに接続されるロータと、該ロータに接続され、該ロータの回転に伴って回転子を回転させて発電電力を発生させて系統に前記発電電力を供給する主発電機と、を備える風車と、を備え、
前記主発電機は前記回転子に永久磁石を搭載した永久磁石式回転発電機であり、
更に、該風車を制御する補機及び風車制御装置と、
前記主発電機における前記永久磁石により発生させられた発電電力を調整して前記風車制御装置及び前記補機に供給する電力変換器と、
前記永久磁石式回転発電機に接続されて交流電力を直流電力に変換する直流変換器と、該直流変換器に接続されて変換された前記直流電力により、前記電力変換器を制御する制御装置とを備えることを特徴とする風力発電システム。
【手続補正２】
【補正対象書類名】明細書
【補正対象項目名】０００７
【補正方法】変更
【補正の内容】
【０００７】
上記の課題を解決するために、本発明に係る風力発電システムは、風を受けて回転するブレードと、該ブレードに接続されるロータと、該ロータに接続され、該ロータの回転に伴って回転子を回転させて発電電力を発生させて系統に前記発電電力を供給する主発電機と、を備える風車と、を備え、前記主発電機は前記回転子に永久磁石を搭載した永久磁石式回転発電機であり、更に、該風車を制御する補機及び風車制御装置と、前記主発電機における前記永久磁石により発生させられた発電電力を調整して前記風車制御装置及び前記補機に供給する電力変換器と、前記永久磁石式回転発電機に接続されて交流電力を直流電力に変換する直流変換器と、該直流変換器に接続されて変換された前記直流電力により、前記電力変換器を制御する制御装置とを備えることを特徴とする。
【国際調査報告】
2013108288.tif 000007
2013108288.tif 000008
2013108288.tif 000009
2013108288.tif 000010